(57)【要約】【課題】床面積を拡張することが可能な防水パンを提供する。【解決手段】スライド棧３１をガイド棧３０から引き出し、防水パン本体２の側方へ突出させ、ロックボルト３３で固定する。スライド棧３１の上側にボード受け棧３５をスライド棧３１と直交方向に配置し、ビス等によって固定する。次に、このボード受け棧３５の上に下地ボード３６を載せ、防水パン本体２の端縁に当接させる。この下地ボード３６の上面から高段部１４の上面にかけて防水シート３７を一連に敷く。この防水シート３７の端縁の上に細幅プレート状のシート押え３８を重ね、ビス３９を該シート押え３８及び防水シート３７を通して防水パン本体２に打ち込む。【選択図】図１
2006249826.tif 000002
【特許請求の範囲】
【請求項１】
少なくとも一辺から側方に突出可能な棧部材を備えたことを特徴とする防水パン。
【請求項２】
請求項１において、該防水パンは、ＦＲＰ製の防水パン本体と、該防水パン本体を支承する架台と、該架台に取り付けられた前記棧部材とを備えてなることを特徴とする防水パン。
【請求項３】
請求項２において、該棧部材は、該架台に固定されたガイド棧と、該ガイド棧に沿ってスライド可能であり、全体が防水パン本体の下側に退避した状態と、先端側が防水パン本体の側方へ突出した状態とをとるスライド棧とを備えてなることを特徴とする防水パン。
【請求項４】
防水パンを躯体床上に設置した防水パン設置構造において、該防水パンは請求項１ないし３のいずれか１項に記載の防水パンであり、
前記棧部材を防水パンの側方に突出させ、該棧部材の上側に下地ボードを設置し、該下地ボードの上面から防水パンの縁部上面に連続して防水シートを敷設したことを特徴とする防水パン設置構造。
【発明の詳細な説明】
【技術分野】
【０００１】
本発明は、浴室などの水回りスペースの床を構成するための防水パンに係り、特に床面積を拡張することが可能な防水パンに関する。また、本発明は、この防水パンを躯体床上に設置した構造に関する。
【背景技術】
【０００２】
浴室の床を構築するために防水パンが広く用いられている。この防水パンは、ＦＲＰ製であり、規格寸法であるため、浴室スペースが防水パンよりも一回り大きい場合であっても、規格大きさの浴室しか構築することができず、スペースが活用されないことになる。
【０００３】
なお、特開２００３−１９３５２７号には、洗い場パンと浴槽パンとを別体とし、両者を連結することにより浴室を構築することが記載されているが、浴室の床面積は各パンの合計面積に限られる。
【特許文献１】特開２００３−１９３５２７号
【発明の開示】
【発明が解決しようとする課題】
【０００４】
本発明は、床面積を拡張することが可能な防水パンを提供することを目的とする。
【課題を解決するための手段】
【０００５】
請求項１の防水パンは、少なくとも一辺から側方に突出可能な棧部材を備えたことを特徴とするものである。
【０００６】
請求項２の防水パンは、請求項１において、該防水パンは、ＦＲＰ製の防水パン本体と、該防水パン本体を支承する架台と、該架台に取り付けられた前記棧部材とを備えてなることを特徴とするものである。
【０００７】
請求項３の防水パンは、請求項２において、該棧部材は、該架台に固定されたガイド棧と、該ガイド棧に沿ってスライド可能であり、全体が防水パン本体の下側に退避した状態と、先端側が防水パン本体の側方へ突出した状態とをとるスライド棧とを備えてなることを特徴とするものである。
【０００８】
請求項４の防水パン設置構造は、防水パンを躯体床上に設置した防水パン設置構造において、該防水パンは請求項１ないし３のいずれか１項に記載の防水パンであり、前記棧部材を防水パンの側方に突出させ、該棧部材の上側に下地ボードを設置し、該下地ボードの上面から防水パンの縁部上面に連続して防水シートを敷設したことを特徴とするものである。
【発明の効果】
【０００９】
本発明の防水パンにあっては、棧部材を側方に突出させて床面積を拡張することができる。具体的には、棧部材を防水パンの側方に突出させ、該棧部材の上側に下地ボードを設置し、該下地ボードの上面から防水パンの縁部上面に連続して防水シートを敷設する。このように防水シートを敷設するため、防水性も良好である。
【００１０】
防水パンを、ＦＲＰ製の防水パン本体と、該防水パン本体を支承する架台と、該架台に取り付けられた前記棧部材とによって構成した場合、棧部材は高強度の架台に対ししっかりと保持されたものとなる。
【００１１】
この棧部材を、架台に固定されたガイド棧と、該ガイド棧に沿ってスライド可能であり、全体が防水パン本体の下側に退避した姿勢と、先端側が防水パン本体の側方へ突出した姿勢とをとるスライド棧とによって構成した場合、スライド棧を側方に突出させ、その上に下地ボードを設置する。この下地ボードの下側に下地ボードの受け棧を設置することにより、下地ボードを堅固に支えることができる。
【発明を実施するための最良の形態】
【００１２】
以下、図面を参照して実施の形態について説明する。第１図、第２図及び第３図は実施の形態に係る防水パンの斜視図、第４図は第３図のIV−IV線断面図、第５図（ａ）は架台の斜視図、第５図（ｂ）は同（ａ）のＢ−Ｂ線断面図である。
【００１３】
この防水パン１は、ＦＲＰ製の防水パン本体２と、該防水パン本体２を支承する架台２０とからなる。この防水パン１は、浴槽を載置するための浴槽パンであり、平面視形状が略長方形のものである。この浴槽パンに対し洗い場パンが連結されることにより浴室床面が構成される。
【００１４】
ＦＲＰ製防水パン本体２は、一方の長辺及び一方の短辺に水返し片３，４が立設されている。他方の長辺からは、洗い場パンの連結用張出片５が水平方向に張り出している。なお、この張出片５の長手方向の一端側には、洗い場用排水トラップ設置部６が一体に設けられている。該設置部６に、排水トラップ設置口７が設けられている。
【００１５】
防水パン本体２の幅方向中央には、防水パン本体２の長手方向に延在する、浅い凹条８が設けられている。この凹条８内に排水トラップ設置口９が設けられている。
【００１６】
防水パン本体２の前記水返し片３の近傍が高段部１０となっており、この高段部１０に床下作業用の作業口１２が設けられている。この作業口１２に蓋１３が着脱可能に取り付けられている。
【００１７】
水返し片３と反対側の短辺近傍も高段部１４となっている。この高段部１４に作業口１５（第３図）が設けられ、蓋１６が着脱可能に取り付けられている。
【００１８】
第５図の通り、架台２０は、１対の長手棧２１，２２と１対の短手棧２３，２４とからなる長方形の枠体２５を有する。長手棧２２に対し、継手材２６を介して長尺棒状の連結棧２７が連結されている。この連結棧２７は、長手棧２２と平行方向に延在している。前記張出片５はこの連結棧２７の上側に載設されている。この連結棧２７の長手方向の一端側にコ字形の小枠体２８が固着され、この小枠体２８の上側に前記トラップ設置部６が載設されている。
【００１９】
短手棧２４の近傍に、該短手棧２４と平行に支持棧２９が長手棧２１，２２間に架設されている。短手棧２４と該支持棧２９とに跨がって、それらの下側にガイド棧３０が架設されている。このガイド棧３０は角パイプ状であり、長手棧２１，２２と平行方向に延在している。この実施の形態では、ガイド棧３０は２個設けられている。
【００２０】
第４図の通り、ガイド棧３０には次に説明するスライド棧３１を固定するためのロックボルト３３が設けられている。
【００２１】
各ガイド棧３０内にスライド自在にスライド棧３１が挿入されている。各スライド棧３１，３１の先端同士は、ボード受け棧を兼ねるタイ棧３２によって連結されている。スライド棧３１をガイド棧３０内に後退限まで差し込むと、タイ棧３２もＦＲＰ製防水パン本体２の下側に納まるよう構成されている。図示は省略するが、この架台２０及びタイ棧３２には脚ボルトが取り付けられている。架台２０は防水パン本体２に対し、ＦＲＰのオーバーレイ等により予め一体化されていてもよく、現場にて組み合わされてもよい。
【００２２】
この防水パン１を用いて浴室の構築を行う手順を次に説明する。
【００２３】
この防水パン１を浴室構築予定エリアに搬入し、床上に据え置き、脚ボルトによって高さ調整する。防水パン１は、水返し片３，４が浴室構築予定エリアの壁に沿うように配置される。高段部１４側の防水パン本体２の辺縁と浴室構築予定エリアの壁との間にスペースが開く場合、第１図の通り、スライド棧３１をガイド棧３０から引き出し、防水パン本体２の側方へ突出させ、ロックボルト３３で固定する。
【００２４】
次いで、スライド棧３１の上側にボード受け棧３５をスライド棧３１と直交方向に配置し、ビス等によって固定する。
【００２５】
次に、第２図の通り、このタイ棧３２とボード受け棧３５の上に下地ボード３６を載せ、その一端辺を防水パン本体２の端縁に当接させる。下地ボード３６は、スライド棧３１の引き出し長さに合わせて、現場にて切断加工する。タイ棧３２、ボード受け棧３５及び下地ボード３６は、該下地ボード３６の上面が防水パン本体２の高段部１４の上面と面一となるように厚さが設定されている。なお、下地ボード３６の材料としては繊維セメントボード、耐水合板などが好適である。
【００２６】
次に、第３図の通り、この下地ボード３６の上面から高段部１４の上面にかけて防水シート３７を一連に敷く。なお、防水シート３７は蓋１６には重ならないように、蓋１６の手前まで配設する。
【００２７】
次に、この防水シート３７の端縁の上に細幅プレート状のシート押え３８を重ね、ビス３９を該シート押え３８及び防水シート３７を通して防水パン本体２に打ち込むことにより、防水シート３７を固定する。なお、防水パン本体２には、このビス３９が十分に効くようにするために肉厚部２ａ（第４図）が設けられており、ビス３９は該肉厚部２ａに螺じ込まれる。
【００２８】
これにより、浴槽パンに関しては、浴室構築予定エリアに見合った大きさの床面積とすることができる。
【００２９】
なお、洗い場パンは、少なくともスライド棧３１と平行方向に拡長可能とされ、好ましくはさらにそれと直交方向にも拡長可能なものが用いられる。洗い場パンは、その辺縁部が張出部５の上に重なるようにして設置される。
【００３０】
このように、この防水パン１を用いると、浴室構築予定エリアに見合った大きさの浴室を構築することが可能となる。
【００３１】
上記実施の形態では、防水シート３７の端縁をシート押え３８によって防水パン本体２に密着させているので、防水シート３７の下側への水の浸入が確実に防止される。
【００３２】
上記実施の形態は本発明の一例であり、本発明は図示以外の形態をもとりうる。例えば、架台２０に補強棧を設けてもよく、また、この補強棧に脚ボルトを設けてもよい。
【図面の簡単な説明】
【００３３】
【図１】実施の形態に係る防水パンの斜視図である。
【図２】実施の形態に係る防水パンの斜視図である。
【図３】実施の形態に係る防水パンの斜視図である。
【図４】第３図のIV−IV線断面図である。
【図５】（ａ）図は架台の斜視図、（ｂ）図は（ａ）図のＢ−Ｂ線断面図である。
【符号の説明】
【００３４】
１  防水パン
２  防水パン本体
３，４  水返し片
５  連結用張出片
６  洗い場用排水トラップ設置部
１０，１４  高段部
１２，１５  作業口
１３，１６  蓋
２０  架台
３０  ガイド棧
３１  スライド棧
３２  タイ棧
３３  ロックボルト
３５  ボード受け棧
３６  下地ボード
３７  防水シート
３８  シート押え
【図１】
2006249826.tif 000003
【図２】
2006249826.tif 000004
【図３】
2006249826.tif 000005
【図４】
2006249826.tif 000006
【図５】
2006249826.tif 000007